(57)【要約】      （修正有）【課題】ビニールハウスの屋根骨組のうち高さの異なる横桟同士の間に換気装置を取り付けても換気装置の鉛直状態を保持でき、換気装置からの雨漏り等の不具合を解消すること。【解決手段】  全体として天板９付きの筒状であってその上部周囲に通気口１１を有する換気装置１を、ビニールハウスの屋根骨組のうち高さの異なる水平な横桟３１，３２同士の間に、留めるための取付アタッチメント３４において、換気装置の外側を囲む枠体３５を、換気装置に対して着脱可能に設け、枠体３５の左右外側には、横桟に留める係止部３６，３７を、左右で高さを異ならせて突出することを特徴とする。枠体の上面を、高い方の係止部側から低い方の係止部側に向かって斜め下向きに傾斜して形成しても良い。分離した上枠と下枠で取付アタッチメントを形成し、左右のうち片側の横桟に留める係止部を上枠の外側に突出し、反対側の横桟に留める係止部を下枠の外側に突出する。【選択図】図１
2008008570.tif 000002
【特許請求の範囲】
【請求項１】
全体として天板（９）付きの筒状であってその上部周囲に通気口（１１）を有する換気装置（１）を、ビニールハウス（２）の屋根骨組のうち高さの異なる水平な横桟（３１，３２）同士の間に、留めるための取付アタッチメント（３４）において、
換気装置（１）の外側を囲む枠体（３５）を、換気装置（１）に対して着脱可能に設け、枠体（３５）の左右外側には、横桟（３１，３２）に留める係止部（３６，３７）を、左右で高さを異ならせて突出してあることを特徴とする取付アタッチメント。
【請求項２】
枠体（３５）の上面を、高い方の係止部（３６）側から低い方の係止部（３７）側に向かって斜め下向きに傾斜して形成してあることを特徴とする請求項１記載の取付アタッチメント。
【請求項３】
全体として天板（９）付きの筒状であってその上部周囲に通気口（１１）を有する換気装置（１）を、ビニールハウス（２）の屋根骨組のうち高さの異なる水平な横桟（３１，３２）同士の間に、留めるための取付アタッチメント（３４）において、
換気装置（１）の外側であって高さの異なる位置を囲む上枠（３９）と下枠（４０）を、換気装置（１）に対して着脱可能に設け、
左右のうち片側の横桟（３１）に留める係止部（３６）を上枠（３９）の外側に突出し、左右のうち反対側の横桟（３２）に留める係止部（３７）を下枠（４０）の外側に突出してあることを特徴とする取付アタッチメント。
【請求項４】
上枠（３９）の枠体（３５）をその内周側を平面視円形に形成すると共に、その外周側の左右のうち片側のみを矩形に形成すると共に、その矩形の外周に係止部（３６）を複数設けてあることを特徴とする請求項３記載の取付アタッチメント。
【発明の詳細な説明】
【技術分野】
【０００１】
本発明はビニールハウスの屋根に換気装置を取り付ける際に用いる取付アタッチメントに関する。
【背景技術】
【０００２】
ビニールハウスの天井の主に頂部に無動力換気装置を取り付けて、自然に換気する手法が存在する（非特許文献１）。
【非特許文献１】韓国企業：ドゥオ産業、[平成１８年６月２０日検索]、インターネット＜ＵＲＬ：http://www.do-oh.co.kr/frame.htm＞
【０００３】
この無動力換気装置は、クロスフロー形風車の下側に換気装置本体を取り付けたものである。そして、換気装置本体として、円形の開口部を塞ぐ円盤状の弁体を、形状記憶合金を用いて設定温度で自然に開閉し、熱気を逃がすものが知られている（特許文献１）。
【特許文献１】特開２００２−１８１３６０号公報
【０００４】
ちなみに、クロスフロー形の風車は上下の円板の間に細長い板を、円周方向に間隔を開けて配置し、円盤の中心部分を鉛直軸として回転するものである（特許文献２）。
【特許文献２】特開２００３−１３９０４１号公報
【０００５】
そして、上記換気装置本体の上にクロスフロー形風車を載せる場合は、換気装置本体の弁体が開いたときに熱気を上方に逃がすために、クロスフロー形風車の下側円盤の中央部に通気口を設けて使用する。
【０００６】
周知のようにビニールハウスは通常、屋根が円弧状に湾曲しているか、斜めに傾斜している。斜めに傾斜している屋根の場合、その頂部の横桟の長手方向には斜桟が間隔を開けて止めてあるのが一般的で、頂部の横桟の少し下側に支持用の横桟を斜桟同士の間に架設し、横桟同士に対して上述した換気装置を、その外側を囲む取付アタッチメントを利用して、固定してある。そして、従来の取付アタッチメント９０としては図６に示すように、枠体９１の左右外側に、横桟９２に留める係止部９３を同じ高さ位置に突出したものが知られている。なお、本出願人は、取付アタッチメントが掲載された先行技術文献情報の所在を知らない。
【発明の開示】
【発明が解決しようとする課題】
【０００７】
ところが、図６に示すようにこの取付アタッチメント９０を用いて換気装置９４を横桟９２同士の間に固定すると、換気装置９４が鉛直に対して傾斜した状態で取り付けられることになり、諸々の不具合が生じる。例えば、雨の場合に、クロスフロー形風車の通気口から内部に水が入り込んできて、換気装置から雨漏りしたような状態となる。また、天井を覆うビニールには換気装置を挿入する丸孔を開け、その丸孔を押し広げて換気装置を取り付けているので、雪が換気装置の周囲のビニールに積もると、その重みでビニールが傷むこともある。さらに、換気装置が傾いているので、強風の場合には、風が換気装置の下側の弁体に向かって吹き込んできて、換気装置全体が揺れ、その揺れによってビニールを傷めることもある。上述した不具合は、屋根が傾斜している場合や、屋根の頂部に取り付ける場合に限らず、屋根が円弧状に湾曲している場合や、屋根の頂部よりも下側に支持用の横桟を二本架設して取り付ける場合でも同様に生ずる。
【０００８】
本発明は上記実情を考慮して創作されたもので、その解決課題は、高さの異なる横桟同士の間に換気装置を取り付けても鉛直状態を保持でき、それによって諸々の不具合を解消できるようにすることである。
【課題を解決するための手段】
【０００９】
請求項１の発明は、全体として天板付きの筒状であってその上部周囲に通気口を有する換気装置を、ビニールハウスの屋根骨組のうち高さの異なる水平な横桟同士の間に、留めるための取付アタッチメントにおいて、換気装置の外側を囲む枠体を、換気装置に対して着脱可能に設け、枠体の左右外側には、横桟に留める係止部を、左右で高さを異ならせて突出してあることを特徴とする。
【００１０】
枠体は上面が面一の一般的な筒状に形成しても良いが、その場合、その上面のうち、高さの低い方の係止部側がビニールハウスのビニール屋根から、屋根勾配分だけ突き出す形態となり、ビニールの損傷が大きい。これを防ぐには、請求項２の発明のように、枠体の上面を、高い方の係止部側から低い方の係止部側に向かって斜め下向きに傾斜して形成することが望ましい。
【００１１】
枠体の左右で高さを異ならせて係止部を設ける場合、一部品からなる取付アタッチメントでは、屋根の特定の傾斜角度にしか対応できない。屋根の多様な勾配に対応させるには、請求項３の発明のように、取付アタッチメントを複数部品から構成する。即ち、換気装置の外側であって高さの異なる位置を囲む上枠と下枠を、換気装置に対して着脱可能に設け、左右のうち片側の横桟に留める係止部を上枠の外側に突出し、左右のうち反対側の横桟に留める係止部を下枠の外側に突出する。
【００１２】
上枠と下枠に分ける場合は、上枠と下枠の間隔を調整することによって屋根の多様な勾配に対応できるので、上枠の高さは小さい方が望ましい。また、換気装置が円筒状であれば、上枠の内周側を平面視円形に形成すると共に、その外周側を平面視矩形に形成して複数の係止部を設けて複数個所で横桟に留めるので安定上望ましい。この場合、上枠の上面のうち、係止部とは反対側がビニールハウスのビニール屋根から、屋根勾配分だけ突き出す形態となり、ビニールの損傷が大きい。これを防ぐには、請求項４の発明のように、上枠の枠体をその内周側を平面視円形に形成すると共に、その外周側の左右のうち片側のみを矩形に形成すると共に、その矩形の外周に係止部を複数設けることが望ましい。
【発明の効果】
【００１３】
請求項１の発明の取付アタッチメントは、横桟に留める係止部を、枠体の左右で高さを異ならせて突出したものであるので、この取付アタッチメントを利用して換気装置を横桟同士の間に留めれば、横桟同士の高さの違いを吸収して換気装置を鉛直に起立した状態で支持できる。従って、換気装置の上部周囲に有する通気口に、従来よりも雨水が格段に落ち難くなり、雨漏りが防止できるし、その他、換気装置が鉛直に対して傾斜した状態で固定された場合の不具合を解消できる。
【００１４】
請求項２の発明は、枠体の上面を、高い方の係止部側から低い方の係止部側に向かって斜め下向きに傾斜して形成するので、傾斜具合によってはビニールハウスのビニール屋根よりも下側に枠体の上面を配置でき、その結果、ビニール屋根の損傷をできるだけ防ぐことができる。
【００１５】
請求項３の発明の上枠と下枠からなる取付アタッチメントを利用した場合も請求項１の発明と同様の効果が言える。なお、上枠と下枠を換気装置に取り付ける際に、上枠と下枠の間隔を調整すれば、傾斜の異なる屋根（横桟同士の高さが異なるもの）に対しても、換気装置を鉛直に取り付けることができる。
【００１６】
請求項４の発明は、上枠の外周側の左右のうち片側のみを平面視矩形に形成して複数の係止部を設けて複数個所で横桟に留めるので、横桟への固定が確実となり、その上、上枠の枠体の内周側を平面視円形に形成してあるので、ビニールハウスのビニール屋根から上枠の係止部とは反対側の半円部分が突き出す形態となるが、半円形状なので、ビニール屋根の損傷をできるだけ防ぐことができる。
【発明を実施するための最良の形態】
【００１７】
換気装置１は図１〜図３に示すように全体として天板９付きの筒状であって、ビニールハウス２内の空気を上下に出入りさせる開口部３を自動的に開閉する換気装置本体４と、換気装置本体４の上部に嵌め込んで高さを調整する調整筒５と、調整筒５の上部に嵌め込んで内外の空気を出入りさせるクロスフロー形風車６からなる。
【００１８】
クロスフロー形風車６は、調整筒５の上部に嵌め込んで載せるために、平面視円形の設置筒７の下部を内周、外周いずれも段差状に大径に形成し、設置筒７の中央上方に風車本体８を支持してある。風車本体８は、円盤形の天板９の周囲に、短冊状の斜板１０を円周方向に間隔を開けて垂下し、隣り合う斜板１０の間を通気口１１としてある。また、天板９の中央部から中心筒１２を垂下し、中心筒１２内に図示しないベアリングを介して中心軸１３を収容し、中心軸１３の下端部を中心筒１２よりも下方に垂下し、中心軸１３の下端部には複数本の脚１４を放射状に斜めに垂下し、各脚１４の下端部を設置筒７の上部内周に連続して一体品としてある。
【００１９】
調整筒５は下部を内周、外周いずれも段差状に大径に形成し、上端部を上述した設置筒７の段差状に広い下端部に嵌め込み、下端部を換気装置本体４の上端部に載せて外側からネジ止めし、上に熱気を逃がせるようにしてある。
【００２０】
換気装置本体４は円筒状の胴体１５の下部を内周、外周いずれも段差状に大径に形成し、胴体１５内に円盤状の弁体１６を、偏心した両側から側方に突出する支軸１７によって回転可能に支持し、支軸１７を境にした両側の重量差によって弁体１６に閉じる方向の力を与えてある。また、胴体１５の内側には、弁体１６が水平状態のときに胴体１５内を上下に封鎖する平面視半円弧状の内鍔１８を支軸１７の両側に段違い状に設け、全体としてほぼ平面視円形となる二つの内鍔１８のある部分の内側を開口部３としてある。そして、支軸１７を胴体１５から外側に突出すると共に、支軸１７に紐１９の一端部を固定し、紐１９の他端部を、胴体１５の下部に固定した弁体自動開閉ユニット２０に留めてある。
【００２１】
弁体自動開閉ユニット２０は、有底筒状のガイド２１内に前面が開口する箱状のスライダー２２を収容し、ガイド２１の底を上下に貫通してネジ棒２３を捩じ込んであり、ネジ棒２３の上端にスライダー２２を固定してある。従って、ネジ棒２３の下端部のツマミ２４を回すと、スライダー２２が昇降する。箱状のスライダー２２の上片２５と下片２６にはそれぞれ上引張バネ２７、下引張バネ２８を固定し、弾力性を有する接合ブロック２９の上下部の外側に、上引張バネ２７の下端部と下引張バネ２８の上端部を押し込んで一体化し、上引張バネ２７と下引張バネ２８に縮む力が加わる状態（軽く伸びた状態）とし、接合ブロック２９に前述した紐１９を、スライダー２２の上片２５の抜穴を通して留めてある。そして、ビニールハウス２内が設定温度例えば４０℃よりも低い場合には換気装置本体４の弁体１６が閉じた状態を維持し、４０℃以上になると弁体１６を自動的に開くために、４０℃で元の形に戻る形状記憶合金を下引張バネ２８に用いる。４０℃になると形状記憶機能が自然に働いて、下引張バネ２８が元の形に縮もうとして、接合ブロック２９が下方に引っ張られ、それに伴って紐１９が下方に引っ張られることになって、それまで閉じていた弁体１６が開くことになる。その後、設定温度以下になると、形状記憶機能が解除されて下引張バネ２８が伸び、接合ブロック２９が上昇し、弁体１６が偏心を利用した自重で自然と閉じることになる。
【００２２】
ビニールハウス２は、パイプを接合して骨組を構築し、屋根を斜桟３０と水平な横桟３１の接合によって構築し、屋根頂部の横桟３１よりも下側に支持用の横桟３２を斜桟３０同士の間に架設してある。支持用の横桟３２は屋根頂部の横桟３１よりも細いものを用いている。また、屋根の上にビニール３３を被せ、換気装置１を取り付ける箇所にのみ、換気装置１よりも小径の丸孔（図示省略）をあけてある。
【００２３】
本発明の取付アタッチメント３４の第一例は図１又は図２に示すように、枠体３５の内周側を、調整筒５を外側から殆ど隙間無く囲む平面視円形状に形成すると共に、枠体３５の外周側を矩形に形成してある。枠体３５の外周の左右には、外向きに開口するＣ字状の係止部３６、３７を前後方向に間隔をあけて設け、左右のうち片側の係止部３６を枠体３５の上側に設け、反対側の係止部３７を枠体３５の下側に設けてある。図では左側の係止部３６を、屋根頂部の太い横桟３１をくわえるために大径に形成し、右側の係止部３７を支持用の横桟３２をくわえるために小径に形成してある。
【００２４】
また、枠体３５はその上面をビニール３３の上に突出しないようにするために、上面の左右のうち、高さの高い方の係止部３６側から低い方の係止部３７側に向かって傾斜してある（図１参照）。
【００２５】
さらに、枠体３５はその肉厚の最も薄い箇所にネジ止め孔３８をあけ、図示しないネジを外側から捩じ込んで調整筒５にネジの先端を押し付けることによって、取付アタッチメント３４を換気装置１に固定する。換気装置１自体が軽量なので、ネジの押し付けだけでも換気装置１と取付アタッチメント３４の接合強度は確保されており、換気装置１が取付アタッチメント３４から抜け落ちることはない。また、取付アタッチメント３４を合成樹脂製としてあるので、ネジを捩じ込めば、自然とネジ止め孔３８に雌ネジが形成される。
【００２６】
取付アタッチメント３４の第二例は、図４に示すように上枠３９と下枠４０の二部材より構築し、矩形の上枠３９の左側には屋根頂部の太い横桟３１をくわえる係止部３６を前後に間隔をあけて設け、下枠４０の右側には細い支持用の横桟３２をくわえる係止部３７を前後に間隔をあけて設け、上枠３９と下枠４０を上下に間隔をあけて換気装置１に固定したものである。
【００２７】
上枠３９はその上面の左右のうち、係止部３６とは反対側がビニール３３の上に突き出す形態となる。ビニール３３の上に枠体３５が部分的に突き出す形態でも、ビニール３３の損傷を小さくするために、図５に示すように上枠３９の枠体３５のうち内周側を平面視円形に形成すると共に、外周側を、その左右のうち係止部３６を設ける方向（図では左）のみを第一例と同様に、矩形に形成してある。このようにすれば、係止部３６を複数設けることができ、それによって横桟３１への係止を安定させることができつつ、係止部３６とは反対方向ではビニール３３が枠体３５の周囲右側を半円状に囲むことができる。
【００２８】
本発明は上記実施形態に限定されない。たとえば、支持用の横桟３２が屋根頂部の横桟３１と同じ太さであれば、左右の係止部３６，３７もそれに合わせて形成すればよい。
【図面の簡単な説明】
【００２９】
【図１】本発明の取付アタッチメントの第一例と換気装置の組立て、及びビニールハウスへの取付状態を示す一部切欠正面図である。
【図２】本発明の取付アタッチメントの第一例と換気装置の分解状態を示す斜視図である。
【図３】斜板の設置状態を示す横断面図である。
【図４】取付アタッチメントの第二例と換気装置の組立て、及びビニールハウスへの取付状態を示す要部正面図である。
【図５】上枠の平面図である。
【図６】従来の取付アタッチメントと換気装置の組立て、及びビニールハウスへの取付状態を示す正面図である。
【符号の説明】
【００３０】
１換気装置、２ビニールハウス、３開口部、４換気装置本体、５調整筒、
６クロスフロー形風車、７設置筒、８風車本体、９天板、１０斜板、１１通気口、
１２中心筒、１３中心軸、１４脚、１５胴体、１６弁体、１７支軸、１８内鍔、１９紐、２０弁体自動開閉ユニット、２１ガイド、２２スライダー、２３ネジ棒、２４ツマミ、
２５上片、２６下片、２７上引張バネ、２８下引張バネ、２９接合ブロック、３０斜桟、
３１横桟、３２横桟、３３ビニール、３４取付アタッチメント、３５枠体、３６係止部、
３７係止部、３８ネジ止め孔、３９上枠、４０下枠
【図１】
2008008570.tif 000003
【図２】
2008008570.tif 000004
【図３】
2008008570.tif 000005
【図４】
2008008570.tif 000006
【図５】
2008008570.tif 000007
【図６】
2008008570.tif 000008